(57)【要約】【課題】連行面７に関連して連結手段６の連結遊びを生ぜしめる連結位置を規定する、高さ位置ストッパ手段１０が設けられている、バルブ駆動装置のための切換可能な支持エレメント１を改良して、従来技術における欠点を取り除く。【解決手段】高さ位置ストッパ手段１０として設けられた、スリット１１を備えた少なくとも１つの薄壁状のリング部材が、支持エレメント１の横方向平面に対して平行に、スリット１１を前にして前記ハウジング２の外周壁１２に差し込まれ、ハウジング２に少なくとも１つの窓１３が設けられ、該窓１３を通って、相応の内周壁セグメント１４を備えたリング部材が突き出し、インナーエレメント４の外周壁１５に長手方向溝又は環状溝１６が延在し、この長手方向溝又は環状溝内に各内周壁セグメント１４が突入していて、該内周壁セグメントの下縁部１７に、連結位置を規定するために前記内周壁セグメント１４の下側１８が突き当たっている。【選択図】図２
2009013987.tif 000002
【特許請求の範囲】
【請求項１】
内燃機関のバルブ駆動装置のための切換可能な支持エレメント（１）であって、ハウジング（２）を有しており、該ハウジングの孔（３）内に、ロッカアームを支承するためのヘッド（５）を備えた軸方向に可動なインナーエレメント（４）が受容されており、該インナーエレメント（４）内に連結手段（６）が延在していて、該連結手段（６）が、軸方向で遠ざかっている、前記ハウジング（２）と前記インナーエレメント（４）との相対位置における連結のために、部分的にハウジング（２）の連行面（７）と係合せしめられるようになっており、インナーエレメント（４）とハウジング（２）との間に働く空転ばね手段（８）が設けられていて、インナーエレメント（４）とハウジング（２）との間の環状ギャップ（９）内に配置された、連行面（７）に関連して連結手段（６）の連結遊びを生ぜしめる連結位置を規定するための高さ位置ストッパ手段（１０）が設けられている形式のものにおいて、
前記高さ位置ストッパ手段（１０）として、スリット（１１）を備えた少なくとも１つの薄壁状のリング部材が設けられており、該リング部材が前記支持エレメント（１）の横方向平面に対して平行に、前記スリット（１１）を前にして前記ハウジング（２）の外周壁（１２）に差し込まれるか、又は軸方向に被せ嵌められており、前記ハウジング（２）に少なくとも１つの窓（１３）が設けられていて、該窓（１３）を通って、相応の内周壁セグメント（１４）を備えたリング部材が突き出しており、インナーエレメント（４）の外周壁（１５）に長手方向溝又は環状溝（１６）が延在していて、この長手方向溝又は環状溝内に各内周壁セグメント（１４）が突入していて、該内周壁セグメント（１４）の下縁部（１７）に、連結位置を規定するために前記内周壁セグメント（１４）の下側（１８）が突き当たっていることを特徴とする、内燃機関のバルブ駆動装置のための切換可能な支持エレメント。
【請求項２】
高さ位置ストッパ手段（１０）が同時に、ハウジング（２）に対するインナーエレメント（４）の回動防止手段として働く、請求項１記載の支持エレメント。
【請求項３】
インナーエレメント（４）の外周壁（１５）に長手方向溝（１６）が形成されており、回動防止を形成するために、リング部材の内周壁セグメント（１４）の内周壁（１９）が、弓の弦状のキー面として構成されており、該キー面が、このキー面に対して相補的な扁平部として構成された、インナーエレメント（４）の長手方向溝（１６）に直に接している、請求項２記載の支持エレメント。
【請求項４】
高さ位置ストッパ手段（１０）としてのリング部材の内周壁セグメント（１４）の上側（２０）が、インナーエレメント（４）の外周壁（１５）に形成された長手方向溝又は環状溝（１６）の上縁部（２１）に当接することによって、連結解除状態におけるインナーエレメント（４）の侵入位置が、前記空転ばね手段（８）がそのロック位置の外にくるように、制限されている、請求項１記載の支持エレメント。
【請求項５】
高さ位置ストッパ手段（１０）としてのリング部材が、ハウジング（２）の外周壁（１２）に形成された環状溝（２２）内に固定されている、請求項１記載の支持エレメント。
【請求項６】
前記ハウジング（２）に、直径方向で互いに向き合う２つの窓（１３）が設けられており、これらの窓内に、高さ位置ストッパ手段（１０）としてのリング部材の対応する２つの内周壁セグメント（１４）が突入している、請求項１記載の支持エレメント。
【請求項７】
高さ位置ストッパ手段（１０）としてのリングが、平面図で見てＵ字形に類似した形状に形成されている、請求項１又は６記載の支持エレメント。
【請求項８】
空転ばね手段（８）として、圧縮コイルばね又は渦巻きばね或いは圧縮コイルばね又は渦巻きばねパケットが組み込まれており、前記圧縮コイルばね又は渦巻きばね或いは圧縮コイルばね又は渦巻きばねパケットが、一端部でインナーエレメント（４）の下側（２３）に支えられ、他端部でハウジング（２）の底部（２４）に支えられている、請求項１又は４記載の支持エレメント。
【請求項９】
連結手段（６）として少なくとも１つのピストンが設けられており、該ピストンが、インナーエレメント（４）の半径方向孔内に延在していて、連結状態において前記ハウジング（２）の連行面（７）内に又は該連行面（７）の下に位置するようになっている、請求項１記載の支持エレメント。
【発明の詳細な説明】
【技術分野】
【０００１】
本発明は、内燃機関のバルブ駆動装置のための切換可能な支持エレメントであって、ハウジングを有しており、前記ハウジングの孔内に、ロッカアームを支承するためのヘッドを備えた軸方向に可動なインナーエレメントが受容されており、該インナーエレメント内に連結手段が延在していて、該連結手段が、連結（軸方向で遠ざかっている、前記ハウジングとインナーエレメントとの相対位置）のために、部分的にハウジングの連行面と係合せしめられるようになっており、インナーエレメントとハウジングとの間に働く空転ばね手段が設けられていて、インナーエレメントとハウジングとの間の環状ギャップ内に配置された、連行面に関連して連結手段の連結遊びを生ぜしめる連結位置を規定するための高さ位置ストッパ手段が設けられている形式のものに関する。
【背景技術】
【０００２】
このような形式の支持エレメントは専門分野において公知である。高さ位置ストッパ手段として例えば横方向に延在するピンが設けられており、このピンは、構成部分（ハウジング又はインナーエレメント）のうちの一方の受容部内に固定されていて、それぞれ他方の構成部分に形成された対応する溝内に突入している。このピンは例えば、前記受容部内に押し込まれている。当業者には、このような押し込み結合体がバルブ駆動運転中に緩んで外れることがあることが知られている。また押し込むことによって不都合な力が周囲の材料に伝達され得る。さらにまた前記ピンは、分解する際には取り除く必要がある（連結遊びを調節するために太さを整列したピンの組み合わせ）。
【０００３】
ハウジングの孔から遠い方の端部に、半径方向で内方に縁曲げされたフランジを有していて、このフランジに、それぞれ対抗面を備えたインナーエレメントが当接するようになっている、従来技術による解決策も公知である。このフランジは、製造技術的に比較的高価であって、しかも連結遊びを効果的に調節することはできない。
【０００４】
さらに、従来技術による解決策によれば、高さ位置ストッパ手段として１つ又は２つの固定リング／拡開リングが設けられていて、この固定リング／拡開リングは、構成部分のうちの一方の溝内に延在していて、ストッパ状態ではそれぞれの他方の構成部分の対応する縁部に係合するようになっている。この場合、拡開リングの操作は実際には比較的困難であることが分かった。
【発明の開示】
【発明が解決しようとする課題】
【０００５】
そこで本発明の課題は、冒頭に述べた形式の切換可能な支持エレメントを改良して、前記のような欠点を取り除くことである。
【課題を解決するための手段】
【０００６】
この課題を解決した本発明によれば、高さ位置ストッパ手段として、スリットを備えた少なくとも１つの薄壁状のリング部材が設けられており、該リング部材が前記支持エレメントの横方向平面に対して平行に、前記スリットを前にして前記ハウジングの外周壁に差し込まれるか、又は軸方向に被せ嵌められており、前記ハウジングに少なくとも１つの窓が設けられていて、該窓を通って、相応の内周壁セグメントを備えたリング部材が突き出しており、インナーエレメントの外周壁に長手方向溝又は環状溝が延在していて、この長手方向溝又は環状溝内に各内周壁セグメントが突入していて、該内周壁セグメントの下縁部に、連結位置を規定するために前記内周壁セグメントの下側が突き当たっている。
【発明の効果】
【０００７】
本発明によれば、前記従来技術における欠点を簡単かつ効果的に取り除くことができる、切換可能な支持エレメントが提供された。高さ位置ストッパ手段としての、薄い壁状のＵ字形に類似した形状のリング部材は、例えば著しく安価な大量生産品として提供することができる。
【０００８】
リング部材は、切換可能な支持エレメントを予備組立した後で簡単に、有利にはスリットを前にして（必ずしもそうでなくてもよい）、支持エレメントの横方向平面に対して平行に、支持エレメントのハウジングの外周壁に被せ嵌めることができる。支持エレメントを軸方向で固定することを実現するために、リング部材をハウジングの外周壁に形成された対応する環状溝内に延在するようにすることが提案されている。
【０００９】
本発明によれば、ハウジングの外周壁は少なくとも１つのスリットを有しており（有利には直径方向で向き合う２つのスリット）、このスリット内に、高さ位置ストッパ手段としてのリング部材のそれぞれの内周壁セグメントが係合するようになっている。これによって、内周壁セグメントはハウジングの孔内に半径方向内方に部分的に突入する。
【００１０】
リング部材の内周壁セグメントのための対抗面として、インナーエレメントの外周壁は、例えば相応の内周壁セグメントの側に、扁平にされた長手方向溝を有している。この場合、本発明の重要な構成部分は、インナーエレメントの長手方向溝の下縁部が、連結位置を規定するための内周壁セグメントの下側のためのストッパ面として用いられる、ということである。
【００１１】
高さ位置ストッパ手段としての、高さを整列して挿入されるリング部材を介して、連結遊びが公知の形式で調節される。連結遊び（連結遊びの変化は、多数のエレメントを介してできるだけ同じ程度の小ささで維持されるべきである）とは、次のような空転経路（Leerweg）のことである。つまり、連結手段がハウジングの対応する連行面にぶつかるまで、インナーエレメントが、連結手段が退出走行された状態でリング部材に設けられたストッパ位置に、ハウジング方向で戻り移動する空転経路のことである。
【００１２】
高さ位置ストッパ手段としての前記リング部材は、ばね鋼又はこれと類似のものより成っていてよいが、プラスチック等の軽構造材料より成っていてもよい。
【００１３】
本発明の実施態様によれば、高さ位置ストッパ手段としてのリング部材が、同時にハウジングに対するインナーエレメントの回動防止手段を形成している。この場合、リング部材の内周壁セグメントの内周壁が、弓の弦状のキー面として構成されており、該キー面が、このキー面に対して相補的な扁平部として構成された、インナーエレメントの長手方向溝に直に接している。当業者にとっては、互いに向き合って配置された有利には２つのキー面が設けられていることが明らかである。この場合、２つ以外の数のキー面も考えられる。
【００１４】
また、インナーエレメントの外周壁に形成された長手方向味字又は環状溝の上縁部が、インナーエレメントの侵入位置を規定するためのストッパ面を形成している。これによって、例えば空転ばね（有利には圧縮コイルばね又は圧縮コイルばねパケット）がそのロック位置に達することが阻止される。
【００１５】
前記手段、例えば上方への高さ位置ストッパ、下方への高さ位置ストッパ及び回動防止手段は、それぞれ、単独でも又はその他の手段との組み合わせでも構成することができる。
【００１６】
ハウジングの外周壁に形成された単数又は複数の窓は、例えば簡単な側フライス（Scheibenfraeser）によって作製することができる。
【００１７】
従属請求項によれば、連結手段として少なくとも１つのピストンが設けられており、該ピストンが、インナーエレメントの半径方向孔内に延在していて、連結状態において前記ハウジングの連行面内に又は該連行面の下に位置するようになっている。有利には、直径方向で向き合う２つの連結ピストンがインナーエレメントに設けられている。ハウジング内の連結面として、例えば環状溝、環状溝セグメント、窓、突起の下側その他が考えられる。
【発明を実施するための最良の形態】
【００１８】
図１及び図２は、切換可能な支持エレメント１を示している。この支持エレメント１は、底部２４によって閉鎖されている鉢状のハウジング２を有している。ハウジング２の孔３内に、ハウジング２に対して軸方向に可動なインナーエレメント４が延在している。このインナーエレメント４は、詳しく説明されていない液圧式の遊び補償装置を有していて、インナーエレメント４のヘッド５がハウジング２から突き出している。インナーエレメント４の下側２３と底部２４との間に、空転ばね手段８が組み込まれている（圧縮コイルばねパケット）。
【００１９】
インナーエレメント４の下側２３の直ぐ上の位置において、インナーエレメント４は、孔内で直径方向に向き合う、連結手段６としての２つのピストンを有している。これらのピストンは、圧縮コイルばねのばね力を介して、図２に示した半径方向で外方の連結位置にスライド可能である。この場合、ピストンは連結位置で、ハウジング２内の連行面７としての相応の窓内内に突入する。
【００２０】
図２に示されているように、ハウジング２の外周壁１２に形成された環状溝２２内に、スリット１１を備えた、高さ位置ストッパ手段１０としての薄壁状のリング部材が嵌め込まれている。このリング部材は、組み付ける際に、支持エレメント１の横断面に対して平行に被せ嵌められる(aufgeschoben)。直径方向で互いに向き合う、前記リング部材の２つの内周壁セグメント１４は、ハウジング２の対応する窓１３内に突入し、半径方向内方に例えば、インナーエレメント４の外周壁１５に形成された長手方向溝１６内に延在して、弓の弦状のキー面を成す内周壁１９が直接、インナーエレメント４のそれぞれの長手方向溝１６の前に位置するようになっている。
【００２１】
図２には、インナーエレメント４のストッパ状態が示されており、このストッパ状態において、長手方向溝１６の下側縁部１７が、リング部材の内周壁セグメント１４の下側１８に当接する。これによって、ハウジング２内の連行面７に関連した、連結手段６の、詳しく説明されていない連結遊びを有する連結位置が得られる。
【００２２】
それと同時に、弓の弦状のキー面として構成された、リング部材の内周壁セグメント１４の前記内周壁１９（インナーエレメント４の長手方向溝１６と関連している）を介して、ハウジング２に対する、前記インナーエレメント４の簡単な相対回動防止が得られるので、連結手段６は、その連行面７に関連して周方向で整列されている。連行面７として環状溝が設けられている場合は、場合によっては前記相対回動防止手段を省くことができる。
【００２３】
さらにまた、インナーエレメント４の外周壁１５に形成された長手方向溝又は環状溝１６の上縁部２１を介して、ハウジング２内への前記構成部分の挿入位置が示されている。この挿入位置を制限するために、インナーエレメント４の長手方向溝又は環状溝１６の上縁部２１が、高さ位置ストッパ手段１０としてのリング部材の内周壁セグメント１４の上縁部２０に当接する（連結解除の場合）。これによって空転ばね手段８のロック位置が阻止される。
【００２４】
しかしながら、高さ位置ストッパ手段１０としてのリング部材は、その外周壁が、組み込み時に、ハウジング２の外周壁１２から突き出してはならない。
【図面の簡単な説明】
【００２５】
【図１】本発明の１実施例による支持エレメントの縦断面図である。
【図２】図１に示した支持エレメントの縦断面図に対して９０゜回転させた位置における縦断面図である。
【図３】高さ位置ストッパ手段としてのリング部材を示す概略的な平面図である。
【符号の説明】
【００２６】
１  支持エレメント、  ２  ハウジング、  ３  孔、  ４  インナーエレメント、  ５  ヘッド、  ６  連結手段、  ７  連行面、  ８  空転（ロストモーション）ばね手段、  １０  高さ位置ストッパ手段、  １１  スリット、  １２  外周壁、  １３  窓、  １４  内周壁セグメント、  １５  外周壁、  １６  長手方向溝又は環状溝、  １７  下縁部、  １８  下側、  １９  内周壁、  ２０  上側、  ２１  上縁部、  ２２  環状溝、  ２３  下側、  ２４  底部
【図１】
2009013987.tif 000003
【図２】
2009013987.tif 000004
【図３】
2009013987.tif 000005
【手続補正書】
【提出日】平成20年8月7日(2008.8.7)
【手続補正１】
【補正対象書類名】図面
【補正対象項目名】全図
【補正方法】変更
【補正の内容】
【図１】
2009013987.tif 000006
【図２】
2009013987.tif 000007
【図３】
2009013987.tif 000008